(57)【要約】  本発明は指紋情報による認証を行う通信方法を開示され、下記のステップを含む：指紋情報を交換する段階：第２のユーザーが要求指令を受信した後、要求を確認して指紋センサーの採集識別装置によってその指紋情報を抽出し、第２のユーザーはその指紋情報を情報交換プラットフォームに格納して、第１のユーザーと交換して双方の身分を確認する；暗号化送信する段階：第１のユーザー身分を認証して、認証を受けた第１のユーザーは暗号化ユニットに送信しようとする情報を入力して、暗号化ユニットによって暗号化された送信しようとする暗号化情報を取得する。送信しようとする暗号化情報を通信応用ユニットに導入して第２のユーザーに送信する。上記の第２のユーザーは通信応用ユニットを通じて暗号化情報を受取る；解読読取段階：第２のユーザーの身分を認証して、認証を受けた第２のユーザーは解読読取ユニットによって解読する。
2014527787.tif 000002
【特許請求の範囲】
【請求項１】
指紋情報による認証を行う通信方法であって、下記のステップを含む：
Ａ）指紋情報を交換する段階：
第１のユーザーは、指紋センサーの採集識別装置によってその指紋情報を抽出し、情報交換プラットフォームに転送する；第１のユーザーはその指紋情報によって情報交換プラットフォームで第２のユーザーに要求指令を送信する；第２のユーザーが要求指令を受信した後、要求を確認して指紋センサーの採集識別装置によってその指紋情報を抽出し、第２のユーザーはその指紋情報を情報交換プラットフォームに格納して、第１のユーザーと交換して双方の身分を確認することと、
Ｂ）暗号化送信する段階：
指紋センサーの採集識別装置によって、第１のユーザーの指紋情報を抽出し且つ第１のユーザー身分を認証し、
認証を通過した後に、第１のユーザーは暗号化ユニットに送信しようとする情報を入力して、暗号化ユニットによって暗号化された送信しようとする暗号化情報を取得し、且つ、送信しようとする暗号化情報を通信応用ユニットに導入して第２のユーザーに送信し、上記第２のユーザーは通信応用ユニットによって暗号化された情報を受けることと、
Ｃ）解読読取段階：
指紋センサーの採集識別装置によって、第２のユーザーの指紋情報を抽出し且つ第２のユーザー身分を認証し、
且つ、認証を通過した場合に、第２のユーザーは暗号解読読取ユニットによって暗号解読して、第２のユーザーは暗号解読された情報を読取る、
ことを特徴とする方法である。
【請求項２】
請求項１に記載された指紋情報による認証を行う通信方法において、
ステップＡ）指紋情報を交換する段階において、指紋センサーの採集識別装置によって第１のユーザーの指紋情報を抽出し、対応する第１の公開鍵及び第１の秘密鍵を生成し、第１の秘密鍵を指紋センサーのメモリに格納し、第１の公開鍵を情報交換プラットフォームに格納し、第１のユーザーは第１の公開鍵を通じて第２のユーザーに要求指令を送信し、第２のユーザーは要求指令を受けてから、要求を確認し且つ指紋センサーの採集識別装置によって自分の指紋情報を抽出し、第２の公開鍵及び第２の秘密鍵を生成し、第２の秘密鍵を指紋センサーのメモリに格納し、第２の公開鍵を情報交換プラットフォームに格納し、且つ第１のユーザーの第１の公開鍵と交換することと、
ステップＢ）暗号化送信する段階において、指紋センサーの採集識別装置によってその指紋情報を抽出し、そして当該指紋情報をステップＡ）において指紋センサーのメモリに格納された第１の秘密鍵と比較して、その比較結果が一致する場合、第１のユーザーは認証を通過することと、
ステップＣ）解読読取段階において、指紋センサーの採集識別装置によってその指紋情報を抽出し、そして当該指紋情報によって生成された秘密鍵を、ステップＡ）において指紋センサーのメモリに格納された第２の秘密鍵と比較して、その比較結果が一致する場合、第２のユーザーは認証を通過する、
ことを特徴とする方法である。
【請求項３】
請求項１に記載された指紋情報による認証を行う通信方法において、
前記情報交換プラットフォームはホストコンピュータ又はサーバーであることを特徴とする。
【請求項４】
請求項１に記載された指紋情報による認証を行う通信方法において、
前記通信応用ユニットはマイクロブログ、ＱＱ、ＭＳＮ、ＳＫＹＰＥでの一つ又は複数であることを特徴とする。
【請求項５】
請求項１に記載された指紋情報による認証を行う通信方法において、
前記第１のユーザーと第２のユーザーの間の通信応用ユニットによる情報の送信は、ネットワーク、赤外線、 ブルートゥースでの一つ又は複数を利用することを特徴とする。
【発明の詳細な説明】
【発明の詳細な説明】
【０００１】
〔技術分野〕
本発明は、指紋情報による認証を行う通信方法に関わっている。
【０００２】
〔背景技術〕
現在、人々はチャットソフトウェア又は他のインスタントメッセージを出すソフトウェアによるチャットする際、他人に見られたくない情報が存在することがある。例えば、双方はチャットしている際、第三者はそばを通過した場合、不注意にチャットしている内容が見える；或いはグループチャットしている際、ある人だけメッセージが見られて欲しいが、プライベートなチャットを行いたくないという問題がある。現在のチャットソフトウェアは前記問題は解決できない。従いまして、特定された人のみ特定された情報が見られ、チャットの内容又は出した情報の秘密性を確保できる解決方法が必要である。
【０００３】
〔発明の概要〕
そこで、本発明では、指紋認証を使用して、ありあわせの通信応用ユニットを変えないことを基にして、チャットの秘密性及び安全性を向上させる指紋情報による認証を行う通信方法を提供することを目的とする。
【０００４】
本発明は採用された技術案は、指紋情報による認証を行う通信方法であり、下記のステップを含む：
Ａ）指紋情報を交換する段階：
第１のユーザーは、指紋センサーの採集識別装置によってその指紋情報を抽出し、情報交換プラットフォームに転送する；第１のユーザーはその指紋情報によって情報交換プラットフォームで第２のユーザーに要求指令を送信する；第２のユーザーが要求指令を受信した後、要求を確認して指紋センサーの採集識別装置によってその指紋情報を抽出し、第２のユーザーはその指紋情報を情報交換プラットフォームに格納して、第１のユーザーと交換して双方の身分を確認することと、
Ｂ）暗号化送信する段階：
指紋センサーの採集識別装置によって、第１のユーザーの指紋情報を抽出し且つ第１のユーザー身分を認証する。認証を受けた第１のユーザーは暗号化ユニットに送信しようとする情報を入力して、暗号化ユニットによって暗号化された送信しようとする暗号化情報を取得する。送信しようとする暗号化情報を通信応用ユニットに導入して第２のユーザーに送信する。上記第２のユーザーは通信応用ユニットを通じて暗号化情報を受取ることと、
Ｃ）解読読取段階：
指紋センサーの採集識別装置によって、第２のユーザーの指紋情報を抽出し且つ第２のユーザー身分を認証する。認証を受けた第２のユーザーは解読読取ユニットによって解読する。
【０００５】
好ましくは、ステップＡ）指紋情報を交換する段階において、指紋センサーの採集識別装置によって第１のユーザーの指紋情報を抽出し、対応する第１の公開鍵及び第１の秘密鍵を生成する。第１の秘密鍵を指紋センサーのメモリに格納し、第１の公開鍵を情報交換プラットフォームに格納する。第１のユーザーは第１の公開鍵を通じて第２のユーザーに要求指令を送信する。第２のユーザーは要求指令を受けてから、要求を確認し且つ指紋センサーの採集識別装置によって自分の指紋情報を抽出し、第２の公開鍵及び第２の秘密鍵を生成する。第２の秘密鍵を指紋センサーのメモリに格納し、第２の公開鍵を情報交換プラットフォームに格納し、且つ第１のユーザーの第１の公開鍵と交換することと、
ステップＢ）暗号化送信する段階において、指紋センサーの採集識別装置によってその指紋情報を抽出し、そして当該指紋情報をステップＡ）において指紋センサーのメモリに格納された第１の秘密鍵と対比した結果が一致する場合、第１のユーザーは認証を通過することと、
ステップＣ）解読読取段階において、指紋センサーの採集識別装置によってその指紋情報を抽出し、そして当該指紋情報によって生成された秘密鍵をステップＡ）において指紋センサーのメモリに格納された第２の秘密鍵と対比した結果が一致する場合、第２のユーザーは認証を通過することである。
【０００６】
好ましくは、前記情報交換プラットフォームはホストコンピュータ又はサーバーである。
【０００７】
好ましくは、前記通信応用ユニットとはマイクロブログ、ＱＱ、ＭＳＮ、ＳＫＹＰＥその中の一つ又は複数である。
【０００８】
好ましくは、第１のユーザーと第２のユーザーの間の通信応用ユニットによる情報の送信はネットワーク、赤外線、 ブルートゥースその中の一つ又は複数を利用できる。
【０００９】
本発明は前記の方法を利用して、人々は指紋情報による情報に対する暗号化及び暗号解読を管理することが出来る。その結果、指紋所有人以外のすべての人は暗号化された情報が見られないので、さらにユーザー情報の秘密性及び安全性を向上させることができる。
【００１０】
〔図面の簡単な説明〕
図１は、本発明の指紋情報を交換する段階を示しているフロー図である。
【００１１】
図２は、本発明の暗号化送信する段階を示しているフロー図である。
【００１２】
図３は、本発明の暗号解読読取段階を示しているフロー図である。
【００１３】
図４は、本発明の指紋情報を交換する段階を示している原理ブロック図である。
【００１４】
〔発明を実施するための最良の形態〕
以下では、当業者が本発明の優れた点及び特徴をより良く理解させるように、図面を参照して本発明の好ましい実施形態について詳しく説明することにより、本発明の範囲をより明確に限定する。
【００１５】
図１〜４を参照して、指紋情報による認証を行う通信方法であって、下記のステップを含む：
Ａ）指紋情報を交換する段階：
図１及び図４に示すように、第１のユーザーは、指紋センサーの採集識別装置によってその指紋情報を抽出し、情報交換プラットフォームに転送する；第１のユーザーはその指紋情報によって情報交換プラットフォームで第２のユーザーに要求指令を送信する；第２のユーザーが要求指令を受信した後、要求を確認して指紋センサーの採集識別装置によってその指紋情報を抽出し、第２のユーザーはその指紋情報を情報交換プラットフォームに格納して、第１のユーザーと交換して双方の身分を確認する。
【００１６】
Ｂ）暗号化送信する段階：
図２に示すように、第１のユーザーは指紋センサーの採集識別装置によってその指紋情報を抽出し且つ第１のユーザー身分を認証する。認証を通過した場合に、第１のユーザーは暗号化ユニットに送信しようとする情報を入力して、暗号化ユニットによって暗号化させて、暗号化された送信しようとする情報を通信応用ユニットに導入して第２のユーザーに送信する。上記第２のユーザーは通信応用ユニットによって暗号化された情報を受ける。
【００１７】
Ｃ）解読読取段階：
図３に示すように、第２のユーザーは指紋センサーの採集識別装置によってその指紋情報を抽出し且つ第２のユーザー身分を認証する。認証を通過した場合に、第２のユーザーは暗号解読ユニットによって解読する。
【００１８】
本発明の実施形態において、指紋センサーは採集識別装置及びメモリを含む。採集識別装置は指紋を抽出することができるし、当該指紋情報をメモリに格納された指紋情報と識別比較及び認証を行うこともできる。メモリは主に指紋認証情報、ユーザー交換した情報及び情報の暗号化・暗号解読をする秘密鍵が格納されている。
【００１９】
情報交換プラットフォームは指紋センサーと繋ぎ合わせる。情報交換プラットフォームはホストコンピュータであり、又はサーバーであってもいい。且つ、該情報交換プラットフォームは主にユーザーの間指紋情報の交換に利用され、公開鍵を交換する目的を達成させ、最終にユーザーの間の身分認証を完成させる。
【００２０】
図１及び図４に示すように、指紋センサーの採集識別装置によって第１のユーザーの指紋情報を抽出し、対応する第１の公開鍵及び第１の秘密鍵を生成する。第１の秘密鍵を指紋センサーのメモリに格納し、第１の公開鍵を情報交換プラットフォームに格納する。第１のユーザーは第１の公開鍵を通じて第２のユーザーに要求指令を送信する。第２のユーザーは要求指令を受けてから、要求を確認し且つ指紋センサーの採集識別装置によって自分の指紋情報を抽出し、第２の公開鍵及び第２の秘密鍵を生成する。第２の秘密鍵を指紋センサーのメモリに格納し、第２の公開鍵を情報交換プラットフォームに格納し、且つ第１のユーザーの第１の公開鍵と交換する。
【００２１】
図２に示すように、暗号化ユニットは指紋センサーに設置してもいいが、他の各種の暗号化システムを利用してもいい。当該暗号化ユニットは指紋情報を利用して、送信しようとする情報を暗号化させる。暗号化された情報は解読する前に、当該情報は乱雑コード、コード及び図形など通常閲覧する時と異なった形式である。従って、当該情報を暗号解読する前に他人に閲覧できないことになる。
【００２２】
指紋センサーの採集識別装置によって第１のユーザー指紋情報を抽出し、そして当該指紋情報をステップＡ）において指紋センサーのメモリに格納された第１の秘密鍵と比較して、その比較結果が一致しない場合、第１のユーザーは認証を通過しなく次の操作をすることができない。
【００２３】
一致する場合、認証を受けた第１のユーザーは暗号化ユニットに送信しようとする情報を入力でき、暗号化ユニットによって送信しようとする情報を暗号化させ、送信しようとする暗号化情報を取得する。送信しようとする暗号化情報を通信応用ユニットに導入して第２のユーザーに送信する。第２のユーザーは通信応用ユニットによって暗号化情報を受ける。
【００２４】
通信応用ユニットは現在インターネットで流行している各種のチャットソフトウェア又はその他各種のインスタントメッセージの応用システム、例えばマイクロブログ、ＱＱ、ＭＳＮ、ＳＫＹＰＥなどである。
【００２５】
図３に示すように、指紋センサーの採集識別装置によって第２のユーザーの指紋情報を抽出し、そして当該指紋情報によって生成された秘密鍵をステップＡ）において指紋センサーのメモリに格納された第２の秘密鍵と比較する。比較した結果が一致する場合、第２のユーザーは認証を通過する。そこで、第２のユーザーは解読ユニットによって受信した暗号化情報を解読できる。当該解読ソフトウェアは暗号化ソフトウェアと対応して、逆に情報を識別できる。
【００２６】
暗号解読後、元の乱雑コード又は図形は自動的に正常な字体の文字に形成し直せるし、マウスを乱雑コードの如何なる位置に置き、如何なる箇所の乱雑コードは正常な文字に直す又は拡大された文字になれる。その結果、ほかのユーザーは第２のユーザーとして操作しても、第２のユーザーの指紋情報を有してないので、チャット内容に対して暗号解読することができない。従いまして、本方法は以前の方法より良い安全性を有する。
【００２７】
以上、図面を参照して本発明の特定の実施形態を記述したが、本発明の範囲及び趣旨の元に、現有技術及びプロセスに対していろいろ改善するができる。本発明が所属された技術分野において、公知常識を有すれば、本発明の技術趣旨の範囲以内、多様な変更を行うことができる。
【図面の簡単な説明】
【００２８】
【図１】本発明の指紋情報を交換する段階を示しているフロー図である。
【図２】本発明の暗号化送信する段階を示しているフロー図である。
【図３】本発明の暗号解読読取段階を示しているフロー図である。
【図４】本発明の指紋情報を交換する段階を示している原理ブロック図である。
【図１】
2014527787.tif 000003
【図２】
2014527787.tif 000004
【図３】
2014527787.tif 000005
【図４】
2014527787.tif 000006
【国際調査報告】
2014527787.tif 000007
2014527787.tif 000008
2014527787.tif 000009
2014527787.tif 000010